【手続補正書】
【提出日】平成24年7月2日(2012.7.2)
【手続補正１】
【補正対象書類名】特許請求の範囲
【補正対象項目名】全文
【補正方法】変更
【補正の内容】
【特許請求の範囲】
【請求項１】
複数の番組項目を表示する方法であって、
前記方法は、
複数の番組を受信することであって、前記複数の番組のうちの第１の複数の番組は、第１の伝送方式を用いて伝送され、前記複数の番組のうちの第２の複数の番組は、前記第１の伝送方式とは異なる第２の伝送方式を用いて伝送され、各伝送方式は、複数の番組を同時に伝送するために用いられる、ことと、
前記複数の番組のうちの前記第１の複数の番組および前記第２の複数の番組に関連する情報を格納することであって、前記格納された情報は、前記複数の番組のうちの前記第１の複数の番組および前記第２の複数の番組のそれぞれに対して、それぞれの番組を伝送するために用いられた伝送方式を示すインジケータを含む、ことと、
選択された番組を伝送するために用いられた伝送方式が識別されるように、前記格納された情報に基づいて、前記複数の番組のうちの前記第１の複数の番組および前記第２の複数の番組のうちの少なくともいくつかに対する番組項目を表示することと
を含む、方法。
【請求項２】
前記複数の番組項目は、前記複数の番組のそれぞれに対するチャンネル情報を含む、請求項１に記載の方法。
【請求項３】
前記表示された複数の番組項目のそれぞれは、前記チャンネル情報と前記インジケータとを含む、請求項２に記載の方法。
【請求項４】
前記複数の番組項目をマージすることにより、ガイドを形成することをさらに含む、請求項１に記載の方法。
【請求項５】
前記インジケータは、それぞれの番組を伝送するソースと、前記ソースの伝送方式とを識別し、前記ソースは、複数のチャンネルを伝送するように動作可能である、請求項１に記載の方法。
【請求項６】
前記複数の番組のうちの第１の複数の番組からの番組と、前記複数の番組のうちの第２の複数の番組からの番組とに関連する複数の番組項目を同時に表示することをさらに含む、請求項１に記載の方法。
【請求項７】
複数の番組項目を表示するシステムであって、
前記システムは、
複数の番組を受信する手段であって、前記複数の番組のうちの第１の複数の番組は、第１の伝送方式を用いて伝送され、前記複数の番組のうちの第２の複数の番組は、前記第１の伝送方式とは異なる第２の伝送方式を用いて伝送され、各伝送方式は、複数の番組を同時に伝送するために用いられる、手段と、
前記複数の番組のうちの前記第１の複数の番組および前記第２の複数の番組に関連する情報を格納する手段であって、前記格納された情報は、前記複数の番組のうちの前記第１の複数の番組および前記第２の複数の番組のそれぞれに対して、それぞれの番組を伝送するために用いられた伝送方式を示すインジケータを含む、手段と、
選択された番組を伝送するために用いられた伝送方式が識別されるように、前記格納された情報に基づいて、前記複数の番組のうちの前記第１の複数の番組および前記第２の複数の番組のうちの少なくともいくつかに対する番組項目を表示する手段と
を備えている、システム。
【請求項８】
前記複数の番組項目は、前記複数の番組のそれぞれに対するチャンネル情報を含む、請求項７に記載のシステム。
【請求項９】
前記表示された複数の番組項目のそれぞれは、前記チャンネル情報と前記インジケータとを含む、請求項８に記載のシステム。
【請求項１０】
前記複数の番組項目をマージすることにより、ガイドを形成する手段をさらに備えている、請求項７に記載のシステム。
【請求項１１】
前記インジケータは、それぞれの番組を伝送するソースと、前記ソースの伝送方式とを識別し、前記ソースは、複数のチャンネルを伝送するように動作可能である、請求項７に記載のシステム。
【請求項１２】
前記複数の番組のうちの第１の複数の番組からの番組と、前記複数の番組のうちの第２の複数の番組からの番組とに関連する複数の番組項目を同時に表示する手段をさらに備えている、請求項７に記載のシステム。
【請求項１３】
番組情報を表示する方法であって、
前記方法は、
少なくとも２つのソースからアクセス可能な番組に関連する番組情報を受信することであって、複数の番組は、各ソースから同時にアクセス可能である、ことと、
前記少なくとも２つのソースからの前記番組に対するガイドを組み立てることであって、前記ガイドは、前記番組に関連する番組情報を含む、ことと、
前記ガイドを表示することと
を含む、方法。
【請求項１４】
前記少なくとも２つのソースのうちの第１のソースに関連する番組情報は、前記第１のソースから受信され、
前記少なくとも２つのソースのうちの第２のソースに関連する番組情報は、前記第２のソースから受信される、請求項１３に記載の方法。
【請求項１５】
前記少なくとも２つのソースに関連する番組情報は、単一のデータソースから受信される、請求項１３に記載の方法。
【請求項１６】
前記少なくとも２つのソースに関連する番組情報をマージすることにより、前記ガイドを形成することをさらに含む、請求項１３に記載の方法。
【請求項１７】
ソース識別子を、前記少なくとも２つのソースのそれぞれに関連する番組情報に関連付けることをさらに含む、請求項１３に記載の方法。
【請求項１８】
前記少なくとも２つのソースのそれぞれに関連する番組情報を同時に表示することをさらに含む、請求項１３に記載の方法。
【請求項１９】
前記表示された番組情報からの選択をユーザから受信することと、
前記番組情報のソースに関連するソース識別子を読み取ることと、
宛て先装置の入力を、前記読み取られたソース識別子に関連する前記番組情報のソースに切り替えることと
をさらに含む、請求項１３に記載の方法。
【請求項２０】
番組情報を表示するシステムであって、
前記システムは、
少なくとも２つのソースからアクセス可能な番組に関連する番組情報を受信する手段であって、複数の番組は、各ソースから同時にアクセス可能である、手段と、
前記少なくとも２つのソースからの前記番組に対するガイドを組み立てる手段であって、前記ガイドは、前記番組に関連する前記番組情報を含む、手段と、
前記ガイドを表示する手段と
を備えている、システム。
【請求項２１】
前記少なくとも２つのソースのうちの第１のソースに関連する番組情報は、前記第１のソースから受信され、
前記少なくとも２つのソースのうちの第２のソースに関連する番組情報は、前記第２のソースから受信される、請求項２０に記載のシステム。
【請求項２２】
前記少なくとも２つのソースに関連する番組情報は、単一のデータソースから受信される、請求項２０に記載のシステム。
【請求項２３】
前記少なくとも２つのソースに関連する番組情報をマージすることにより、前記ガイドを形成する手段をさらに備えている、請求項２０に記載のシステム。
【請求項２４】
ソース識別子を、前記少なくとも２つのソースのそれぞれに関連する番組情報に関連付ける手段をさらに備えている、請求項２０に記載のシステム。
【請求項２５】
前記少なくとも２つのソースのそれぞれに関連する番組情報を同時に表示する手段をさらに備えている、請求項２０に記載のシステム。
【請求項２６】
前記表示された番組情報からの選択をユーザから受信する手段と、
前記番組情報のソースに関連するソース識別子を読み取る手段と、
宛て先装置の入力を、前記読み取られたソース識別子に関連する前記番組情報のソースに切り替える手段と
をさらに備えている、請求項２０に記載のシステム。